Podtech/llm-jp-corpus-v4-ja_patent huggingface dataset:
(57)【要約】【課題】股関節のずれによって引き起こされる病気や体の不調は多く、股関節への手当が重要であるにもかかわらず、誰でもいつでも使用できる効果的な股関節矯正具が提供されていない。そのため、便宜的に座布団を二つ折にして腰に当てたり、クッションを腰に当てたりして腰掛ける方法を取ることが多い。【解決手段】クッション１の内側に複数の突起部分２を設け、クッション１の外側にバンド通し３を設け、バンド通し３にバンド４を装着し、バンド４の先端の留め具５、６で体に装着したクッション１を固定する。【選択図】　　図１
2004073785.tif 000002
【特許請求の範囲】
【請求項１】
クッション（１）の内側に複数の突起部分（２）を設け、クッション（１）の外側にバンド通し（３）を設け、バンド通し（３）にバンド（４）を装着し、バンド（４）の先端の留め具（５）、（６）で体に装着したクッション（１）を固定することを特徴とする股関節矯正具。
【請求項２】
空気注入ポンプ（７）をクッション（１）に装備し、クッション（１）の固さ調節を可能としたことを特徴とする請求項１に記載の股関節矯正具。
【請求項３】
バンド（４）が直接クッション（１）に装着されていることを特徴とする請求項１および２に記載の股関節矯正具。
【請求項４】
フック（８）がクッション（１）に装着されていることを特徴とする請求項１および２に記載の股関節矯正具。
【発明の詳細な説明】
【０００１】
【発明の属する技術分野】
この発明は、股関節の矯正を行う矯正具に関している。
【０００２】
【従来の技術】
股関節は大腿骨と骨盤を連結する関節で、股関節部分の骨盤には、おわんのような寛骨臼と言われるくぼみがあり、このくぼみにほぼ球形の大腿骨の骨頭がすっぽり入るようになっている。この股関節に異常があると、小児麻痺、変形性股関節症、股関節脱臼、内反足、尖足などの難病となる。多くの人に、股関節の異常があり、足の長短、骨盤の傾斜、背柱の湾曲、脳・背髄神経への影響、全身のバランスのくずれ、背推の捻転、疾病の発生等の原因となっている。この治療に病院への通院、マッサージ、指圧等各種の治療が行われている。また、ローラー、けん引具、矯正用椅子、矯正用ベッド等各種の機器が使用されている。
【０００３】
【発明の解決しようとする課題】
股関節のずれによって引き起こされる病気や体の不調は多く、股関節への手当が重要であるにもかかわらず、誰でもいつでも使用できる効果的な股関節矯正具が提供されていない。そのため、便宜的に座布団を二つ折にして腰に当てたり、クッションを腰に当てたりして腰掛ける方法を取ることが多い。そこで、本発明においては、股関節の矯正に効果のある突起部分が股関節、腰、背中等使用する部分に刺激を与えるクッションを提供しようとするものである。
【０００４】
【課題を解決するための手段】
請求項１に記載の股関節矯正具においては、クッション１は横長の長方形に形成されている。クッション１はやや固めであり、内側中央部分を空けて左右に４個ずつの突起部分２を配列している。このため、背骨に当たる箇所には突起部分２が無く、背骨から離れた左右位置に突起部分２が装着され、骨盤の股関節部分に刺激を与えることができる。クッション１の外側にバンド通し３を設け、バンド４を移動や取り外し可能に装着できる。バンド４の先端には留め具５、６が固着され、体にフィットした状態でクッション１を固定することができる。
【０００５】
請求項２に記載の股関節矯正具においては、クッション１をゴムや合成樹脂等の素材で形成し、空気注入ポンプ７で空気を注入する。使用状況に合わせてクッション１の固さを調節できるので、使用しやすくなる。
【０００６】
請求項３に記載の股関節矯正具においては、クッション１にバンド通し３を設けず、バンド４をクッション１の両側部に直接装着する方法である。
【０００７】
請求項４に記載の股関節矯正具においては、クッション１にバンド４を装着する代わりに、フック８をクッション１に装着する方法であり、ズボンのバンドにフック８を掛けて使用する。
【０００８】
【発明の実施の形態】
本発明の実施の形態につき、実施例に基づき、図面を参照して説明する。突起部分２の配列位置は固定したものでなく、突起部分２の数も増減できる。また、他の種類のバンド４や留め具５、６を使用することもできる。
【０００９】
図１は請求項１に記載の股関節矯正具の斜視図である。クッション１を側面上方から見た状態である。横長の長方形に形成されたクッション１の底部に突起部分２を配列している。突起部分２は背骨に当たる箇所を空けて左右位置に４個ずつ装着されているが、図１では左右各２個しか表示されていない。本発明の股関節矯正具は腰に巻いて使用する。突起部分２が骨盤の股関節部分に刺激を与え、腰痛の治療を行うことができる。クッション１の外側２箇所にバンド通し３が設けられ、バンド４を装着できるようになっている。バンド４の先端には留め具５、６が固着され、バンド４の中間でバンド４の長さ調節ができる。
【００１０】
図２は請求項１に記載の股関節矯正具の平面図である。クッション１の形状は横長の長方形であり、腰に装着したとき、腰に密着しやすい形状となっている。上部両端にバンド通し３が設置されているので、バンド４を通して腰に巻いたとき、クッション１の両端が内側へ押さえられて指圧効果を高める。
【００１１】
図３は請求項１に記載の股関節矯正具の底面図である。クッション１の底面に突起部分２が装着されていて、股関節矯正具を腰に巻いたとき突起部分２が腰のツボを刺激し、股関節の矯正に役立つように配列されている。
【００１２】
図４は請求項２に記載の股関節矯正具の斜視図である。クッション１は空気注入により膨張するゴムや合成樹脂等の素材で構成され、空気の注入量によりクッション１の固さを空気圧で調節できる。クッション１に空気注入ポンプ７が装着されている。
【００１３】
図５は請求項３に記載の股関節矯正具の斜視図である。クッション１の両側部にバンド４が固着している状態を示している。
【００１４】
図６は請求項４に記載の股関節矯正具の説明図である。股関節矯正具にはバンド４が装着されていず、クッション１の両端にフック８が固着し、フック８をベルトに掛けて使用することができるので、装着や取り外しが容易である。
【００１５】
【発明の効果】
指圧効果があり、股関節の歪みや腰痛の治療に役立つ。
【００１６】
椅子に腰掛けた際に、背筋を伸ばし、正しい姿勢を保つことができる。
【図面の簡単な説明】
【図１】請求項１に記載の股関節矯正具の斜視図である。
【図２】請求項１に記載の股関節矯正具の平面図である。
【図３】請求項１に記載の股関節矯正具の底面図である。
【図４】請求項２に記載の股関節矯正具の斜視図である。
【図５】請求項３に記載の股関節矯正具の斜視図である。
【図６】請求項４に記載の股関節矯正具の説明図である。
【符号の説明】
１　クッション
２　突起部分
３　バンド通し
４　バンド
５　留め具
６　留め具
７　空気注入ポンプ
８　フック
【図１】
2004073785.tif 000003
【図２】
2004073785.tif 000004
【図３】
2004073785.tif 000005
【図４】
2004073785.tif 000006
【図５】
2004073785.tif 000007
【図６】
2004073785.tif 000008
(57)【要約】【課題】蒲団に防水性、防炎性、保温性、抗菌性、弾力性等の多機能機能を得る。【解決手段】蒲団中身にアルミ箔とエアーキャップで構成された遮熱シートを入れると同時に、遮熱シートの取り出しを容易にジッパーを取り付け、更に防炎性を付加した遮熱シート入り蒲団。【選択図】　図２
2004073781.tif 000002
【特許請求の範囲】
【請求項１】
蒲団の中身は、表面・裏面にアルミ箔（２）、中心にエアーキャップ（３）を積層した遮熱シート（Ａ）からなる遮熱シート入り蒲団。
【請求項２】
蒲団の表生地（１）は、遮熱シート（Ａ）の出し入れを容易にするためにジッパーを設けた前記請求項１記載の遮熱シート入り蒲団。
【請求項３】
蒲団の表生地（１）には、天然素材専用防炎薬剤で処理してある前記請求項１，２記載の遮熱シート入り蒲団。
【発明の詳細な説明】
【０００１】
【発明の属する技術分野】
本発明は、蒲団の中身にアルミ箔とエアーキャップで構成されている遮熱シートを採用した遮熱シート入り蒲団に関する。
【０００２】
【従来の技術】
従来、蒲団の中身はコットン或いは人工繊維を用いている。また特殊な例としてイオン効果を狙った炭入り蒲団、弾力性を追求したウオーターベット等挙げられる。
【０００３】
【発明が解決しようとする課題】
従来の蒲団においては、寝たきり老人や子供による失禁に対応可能な機能はなかった。また、保温性においても中身の重量に左右されたり、タバコによる焼失、或いは失禁による微生物臭の問題等数多くの問題を呈してきた。
【０００４】
【課題を解決するための手段】
上記問題を解決するために、本特許の蒲団では、中身にアルミ箔とエアーキャップで構成されている遮熱シートを採用した。
【０００５】
蒲団の表生地には一般的なコットン繊維等が使用される。この表生地にはジッパーを配して前記遮熱シートの出し入れを容易にしている。
【０００６】
また、蒲団の表生地には天然素材専用防炎薬剤が使用され、より安全性を高めている。
【０００７】
【発明の実施の形態】
発明の実施の形態を図面を参照して説明する。
図１においては、遮熱シートの断面図を記した。この構成は、表層にアルミ箔（２）、中層にエアーキャップ（３）を積層した。
【０００８】
図２においては、本特許蒲団の全体構成断面図を記した。表面生地として一般的に採用されているコットン生地（１）等が使用され、中身は遮熱シート（Ａ）としている。
【０００９】
また、コットン生地（１）には天然素材専用防炎薬剤を採用している。好適には米国ノーチャー社製ＮＦＰであるが、安全性が高ければその他の薬剤も用いることができる。
【００１０】
防炎処理工法としては、洗濯乾燥後ディッピングによる簡易工法を採用した。この工法は、ＮＦＰが水溶液であり無害であるため好適に用いられる。
【００１１】
【発明の効果】
本発明は以上の通り構成されているので、以下に記載されている効果を奏する。
【００１２】
蒲団の中身に、遮熱シートが用いられている。遮熱シートは表層がアルミ箔で形成されているので寝たきり老人・子供等の失禁対策に効果がある。また、汚れは簡単な水洗いでよく、雑菌が繁殖しにくい性状から悪臭が発生する事はない。
【００１３】
更にアルミ箔は、光熱に耐える事ができる素材である。また放射熱エネルギーの大部分を反射する優秀機能を有する。従って、自らの体熱で自らが温まる快適環境を創造する事、或いは熱反射により夏涼しい環境も提供可能である。
【００１４】
遮熱シート中層のエアーキャップは、弾力性と保温性の機能を有する。特に弾力性については、寝たきり老人の必須条件である。
【００１５】
本特許の蒲団表生地は前記防炎剤ＮＦＰで処理してある。ホテル・旅館などで多く見られる火災の原因にタバコ等からの炎上が挙げられる。一般戸建住宅の火災も含め被害者の多くは老人と子供である。この災害を未然に防ぐために、本特許ではアルミ箔の不燃性、更には表生地に防炎性を施し二重の安全設計とした。
【図面の簡単な説明】
【図１】遮熱シートの構成断面図である。
【図２】遮熱シート入り蒲団の断面図である。
【符号の説明】
Ａ　遮熱シート
１　蒲団表生地
２　アルミ箔
３　エアーキャップ
【図１】
2004073781.tif 000003
【図２】
2004073781.tif 000004
(57)【要約】【課題】中空球状で、その表面側と内面側が反転可能に形成された形態変化ボールに関する。【解決手段】ボール体１はゴム状の軟質素材によって形成されている。ボール体は中空球状で、一側に穴２が開いた形に形成されている。ボール体１は上記穴を通して裏返すことにより表面側１１と内面側２１が反転可能に形成されている。ボール体１の外面側１１と内面側２１の一方もしくは両方に、別個の形態とするための凹凸が形成されている。【選択図】　　　　図１
2004073788.tif 000002
【特許請求の範囲】
【請求項１】
下記の要件を具えたことを特徴とする形態変化ボール。
（イ）ボール体はゴム状の軟質素材によって形成されていること。
（ロ）ボール体は中空球状で、一側に穴が開いた形に形成されていること。
（ハ）ボール体は上記穴を通して裏返すことにより表面側と内面側が反転可能に形成されていること。
（ニ）ボール体の外面側と内面側の一方もしくは両方に、別個の形態とするための凹凸が形成されていること。
【発明の詳細な説明】
【０００１】
【発明の属する技術分野】
本発明は中空球状で、その表面側と内面側が反転可能に形成された形態変化ボールに関するものである。
【０００２】
【従来の技術】
従来、中空球状のボールはあるが、その表面側と内面側が反転可能に形成されたボールはない。従って形態を変化できるボールもない。
【０００３】
【発明が解決しようとする課題】
本発明は中空球状のボール体において、裏返しによりその表面側と内面側が反転可能に形成することにより形態を変化できるボールを提供するものである。
【０００４】
【課題を解決するための手段】
本発明の形態変化ボールは、（イ）ボール体はゴム状の軟質素材によって形成されていること。（ロ）ボール体は中空球状で、一側に穴が開いた形に形成されていること。（ハ）ボール体は上記穴を通して裏返すことにより表面側と内面側が反転可能に形成されていること。（ニ）ボール体の外面側と内面側の一方もしくは両方に、別個の形態とするための凹凸が形成されていることである。
【０００５】
【発明の実施の形態】
ボール体１はゴム状の軟質素材によって形成され、同ボール体１は中空球状で、一側に穴２が開いた形に形成されている。また、ボール体１は上記穴２を通して裏返すことにより表面側１１と内面側２１が反転可能に形成されている。
【０００６】
ボール体１の外面側１１と内面側２１には、夫々が外表面側の位置で別個の形態となるための凹凸が形成されている。例えば、表面側１１には丸顔の目１２、鼻１３、口１４が形成されている。同じく、内面側２１には、して、周囲に複数の突起２２と凹部２３が形成され、多数の角のある顔の様につくられている。
【０００７】
上記の構成により、図１（ａ）の様に、通常、ボール体１の外面側１１を外表面に位置させていると、目１２、鼻１３、口１４からなる丸顔の形態をもったボールとなる。この場合、内面側２１の突起２２と凹部２３は図２（ｃ）の様に、中空球状の内側に裏返した形で押込められた形で収容されている。
【０００８】
ボール体１はゴム状の軟質素材によって形成されているので、ボール体１の穴２を通して内面側２１を引出すとともに、表面側１１を裏返して中空球状の内側に押込むことができる。最終的に、図１（ｂ）の様に、内面側２１を外表面に位置させることができ、突起２２と凹部２３を外側として多数の角のある顔の形態のボールとなる。この形で外面側１１の目１２、鼻１３、口１４は図２（ｄ）の様に、中空球状の内側に裏返した形で押込められた形で収容されている。
【０００９】
上記の様に、ボール体１は外面側１１を外表面に位置させたり、内面側２１を外表面に位置させることができる。これによって、ボール体１の形態を簡単に変えることができる。
【００１０】
【実施例】
上記考案の実施例によると、ボール体の大きさは直径５０ｍｍの球状体。突起を外側に位置させた形態変化の形で直径約８０ｍｍである。
【００１１】
【発明の効果】
上記の様に本発明の形態変化ボールによると、ボール体がゴム状の軟質素材によって形成されているので、中空球状の穴を通して外面側を外表面に位置させたり、内面側を外表面に位置させることができる。これによって、ボール体の形態を簡単に変えることができる。
【図面の簡単な説明】
【図１】本発明の形態変化ボールの形態変化前後の正面図である。
【図２】本発明の形態変化ボールの形態変化前後の要部断面図である。
【符号の説明】
１　ボール体
２　穴
１１　外面側
１２　目
１３　鼻
１４　口
２１　内面側
２２　突起
２３　凹部
【図１】
2004073788.tif 000003
【図２】
2004073788.tif 000004
(57)【要約】【課題】この発明は、細長くて長方形のタオルの長手方向を約３等分にして、薄織部、厚織部、薄織部のように織り方を変えたタオルで、全体の長さの約３分の１の中央部分をループ織りにして、その左右をモシャ織りにして、薄く織りしっかりとこぶ結びができるように工夫した長い髪用のタオルを提供する。【解決手段】長方形のタオル（１）を細長くしたことが特徴で、全体の長さの約３分の１の中央部分を厚織部（２）にして、その左右を薄織部（３ａ、３ｂ）を設けたことを特徴とする。【選択図】　図１
2004073790.tif 000002
【特許請求の範囲】
【請求項１】
タオルにおいて、長方形のタオル（１）を細長くしたことが特徴で、全体の長さの約３分の１の中央部分を厚織部（２）にして、その左右を薄織部（３ａ、３ｂ）にしたタオル。
【発明の詳細な説明】
【０００１】
【発明の属する技術分野】
この発明は、細長くて長方形のタオルの長手方向を約３等分にして、薄織部、厚織部、薄織部のように織り方を変えたタオルで、全体の長さの約３分の１の中央部分をループ織りにして、その左右をモシャ織りにして、薄く織りしっかりとこぶ結びができるように工夫した長い髪用のタオルに関するものである。
【０００２】
【従来の技術】
従来使っている日本手ぬぐい、顔用のタオル、バスタオルなどの全体の長さはだいたい同じだった。
長い髪の人は、シャンプーをした後にドライヤーを使うまでのしばらくの間は髪を束ねている人が多い。ところが、一般的に使っているタオルでは全体の長さが短いため、しっかりとこぶ結びができなかった。
そのため、洗髪をした後等、頭部をしっかり包み込み、押さえるためのピン等の止め用具を使っていた。
【０００３】
【発明が解決しようとする課題】
これはつぎのような欠点があった。
既製品のタオルは、全面が同じ厚さでできているため、こぶ結びができなかった。そのため、止め用具が必要だった。
風呂上がりのバスタオルは、腰に巻きつけて使用したとき、不安定だった。
洗髪をした後等、頭部をしっかり包み込み、押さえておかないとタオルがズリ落ちてきていた。
髪の長い人が使ったとき、いままでの長さのタオルだと、しっかりとこぶ結びが作れなかった。
本発明は、以上のような欠点をなくすためになされたものである。
【０００４】
【課題を解決するための手段】
長方形のタオル（１）を細長くしたことが特徴で、全体の長さの約３分の１の中央部分を厚織部（２）にして、その左右を薄織部（３ａ、３ｂ）にする。
本発明は、以上のような構成よりなるタオルである。
【０００５】
【発明の実施の形態】
以下、本発明の実施例について説明する。
長方形のタオル（１）を細長くしたことが特徴で、全体の長さの約３分の１の中央部分を厚織部（２）にして、その左右の両側約３分の１を薄織部（３ａ、３ｂ）にする。
タオルの全体の長さは約１１０ｃｍのロングサイズにする。
中央部分を厚織部（２）はループ織りにして、その左右の両側約３分の１を薄織部（３ａ、３ｂ）はモシャ織りにする。
本発明は以上のような構造で、これを使用するときは、たとえば、風呂上がりに、長い髪の人は、シャンプーをした後にドライヤーを使うまでのしばらくの間、このタオルを使えば、両側が薄織になっているので、らくらく、しっかり結べるので、タオルがずり落ちてくることもない。
【０００６】
【発明の効果】
本発明品を使用することにより、洗髪後、頭部をしっかりと包み、長い髪の煩わしさが除かれる。
中央部は厚織りになっているので、水分をしっかり吸収できる。
全体の長さは約１１０ｃｍのロングサイズなので、髪が長くてもらくらく巻くことができる。
また、このようなバスタオルを使用すればお風呂上がりの腰に巻きつけても安定感がある。
たとえば、突然、腕を骨折した場合でも首の後ろでしっかりと結べて三角巾の代用にもなる。
【図面の簡単な説明】
【図１】本発明の平面図である。
【図２】本発明の使用状態を示した説明図である。
【図３】本発明の使用状態を示した説明図である。
【符号の説明】
１　　タオル
２　　厚織部
３ａ　薄織部
３ｂ　薄織部
【図１】
2004073790.tif 000003
【図２】
2004073790.tif 000004
【図３】
2004073790.tif 000005
(57)【要約】【課題】靴の主要部分を自分の好きな色、デザインに、変えたり修理時の部品交換を容易にする部品脱着式の靴を提供する。【解決手段】靴本体（１）とつま先部カバー（２）、甲部カバー（３）かかと部カバー（４）にそれぞれ、靴本体つま先部止め具Ａ（５）、Ｂ（６）、Ｃ（７）、靴本体甲部止め具Ｄ（８）、Ｅ（９）、Ｆ（１０）、Ｇ（１１）、靴本体かかと部止め具Ｈ（１２）、Ｉ（１３）、Ｊ（１４）、つま先部カバー止め具Ａ’（１５）、Ｂ’（１６）、Ｃ’（１７）、甲部カバー止め具Ｄ’（１８）、Ｅ’（１９）、Ｆ’（２０）、Ｇ’（２１）、かかと部カバー止め具Ｈ’（２２）、Ｉ’（２３）、Ｊ’（２４）を設ける事によって、靴の主要部分を脱着可能にする。【選択図】　図１
2004073792.tif 000002
【特許請求の範囲】
【請求項１】
靴本体（１）、つま先部カバー（２）、甲部カバー（３）かかと部カバー（４）にそれぞれ靴本体つま先部止め具Ａ（５）、Ｂ（６）、Ｃ（７）、靴本体甲部止め具Ｄ（８）、Ｅ（９）、Ｆ（１０）、Ｇ（１１）、靴本体かかと部止め具Ｈ（１２）、Ｉ（１３）、Ｊ（１４）、つま先部カバー止め具Ａ’（１５）、Ｂ’（１６）、Ｃ’（１７）、甲部カバー止め具Ｄ’（１８）、Ｅ’（１９）、Ｆ’（２０）、Ｇ’（２１）、かかと部カバー止め具Ｈ’（２２）、Ｉ’（２３）、Ｊ’（２４）を設け、靴本体（１）とつま先部カバー（２）、甲部カバー（３）、かかと部カバー（４）を脱着させることの出来る靴。
【発明の詳細な説明】
【０００１】
【発明の属する技術分野】
この発明は、靴の主要部分の表面カバーを止め具により脱着する事で靴のデザインを変化させたり、破損、劣化部分の補修を容易にするものである。
【０００２】
【従来の技術】
従来は、靴の主要部分の表面カバーを止め具により脱着できる物はなかった。
【０００３】
【発明が解決しようとする課題】
イ．　今、市販されている靴のデザインや色には限りがあり小売店に行っても自分の気に入った物がなかなか見つからなかった。
ロ．　服装に合わせて、その数だけ靴を揃えるには、保管場所や購入費用がかかりすぎた。
ハ．　気に入った靴を修理する際、時間と費用がたくさんかかった。
本発明は、以上の欠点を解決するためになされたものである。
【０００４】
【課題を解決するための手段】
靴本体（１）に靴本体つま先部止め具Ａ（５）、Ｂ（６）、Ｃ（７）、靴本体甲部止め具Ｄ（８）、Ｅ（９）、Ｆ（１０）、Ｇ（１１）、靴本体かかと部止め具Ｈ（１２）、Ｉ（１３）、Ｊ（１４）、を設ける。また、つま先部カバー（２）、甲部カバー（３）かかと部カバー（４）に、つま先部カバー止め具Ａ’（１５）、Ｂ’（１６）、Ｃ’（１７）、甲部カバー止め具Ｄ’（１８）、Ｅ’（１９）、Ｆ’（２０）、Ｇ’（２１）、かかと部カバー止め具Ｈ’（２２）、Ｉ’（２３）、Ｊ’（２４）を設け、それぞれを取り付け、取り外しが出来るようにする。
【０００５】
【発明の実施の形態】
以下、本発明の実施の形態を説明する。
（イ）靴本体（１）のつま先部の両脇と先端に靴本体つま先部止め具Ａ（５）、Ｂ（６）、Ｃ（７）を、甲部の両脇に２箇所ずつ靴本体甲部止め具Ｄ（８）、Ｅ（９）、Ｆ（１０）、Ｇ（１１）を、かかと部の両脇と後方に靴本体かかと部止め具Ｈ（１２）、Ｉ（１３）、Ｊ（１４）を設ける。
（ロ）つま先部カバー（２）の両脇と先端、甲部カバー（３）の両脇に２箇所ずつ、かかと部カバー（４）の両脇と後方にそれぞれ、つま先部カバー止め具Ａ’（１５）、Ｂ’（１６）、Ｃ’（１７）、甲部カバー止め具Ｄ’（１８）、Ｅ’（１９）、Ｆ’（２０）、Ｇ’（２１）、かかと部カバー止め具Ｈ’（２２）、Ｉ’（２３）、Ｊ’（２４）を設ける。
本発明は、以上の構成よりなっている。
本発明を使用するときは、靴本体（１）の靴本体つま先部止め具Ａ（５）、Ｂ（６）、Ｃ（７）、靴本体甲部止め具Ｄ（８）、Ｅ（９）、Ｆ（１０）、Ｇ（１１）、靴本体かかと部止め具Ｈ（１２）、Ｉ（１３）、Ｊ（１４）と、つま先部カバー（２）、甲部カバー（３）かかと部カバー（４）のつま先部カバー止め具Ａ’（１５）、Ｂ’（１６）、Ｃ’（１７）、甲部カバー止め具Ｄ’（１８）、Ｅ’（１９）、Ｆ’（２０）、Ｇ’（２１）、かかと部カバー止め具Ｈ’（２２）、Ｉ’（２３）、Ｊ’（２４）を使い、靴本体（１）につま先部カバー（２）、甲部カバー（３）、かかと部カバー（４）を取り付けたり、取り外したりする。
【０００６】
【発明の効果】
本発明を使用することによって、靴を個性のある、自分好みの色やデザインにすることが出来る。しかも、傷付いたり破損した場合、修理を業者に頼まなくても自分でその部分を交換出来るので、時間もかからず、安価で出来る。
【図面の簡単な説明】
【図１】本発明の前方分離斜視図
【図２】本発明の後方分離斜視図
【図３】本発明の靴本体平面図
【図４】本発明のつま先部カバー斜視図
【図５】本発明の甲部カバー斜視図
【図６】本発明のかかと部カバー斜視図
【図７】本発明のつま先部カバー断面図
【図８】本発明の分離側面図
【図９】本発明の斜視図
【符号の説明】
１　靴本体
２　つま先部カバー
３　甲部カバー
４　かかと部カバー
５　靴本体つま先部止め具Ａ
６　靴本体つま先部止め具Ｂ
７　靴本体つま先部止め具Ｃ
８　靴本体甲部止め具Ｄ
９　靴本体甲部止め具Ｅ
１０　靴本体甲部止め具Ｆ
１１　靴本体甲部止め具Ｇ
１２　靴本体かかと部止め具Ｈ
１３　靴本体かかと部止め具Ｉ
１４　靴本体かかと部止め具Ｊ
１５　つま先部カバー止め具Ａ’
１６　つま先部カバー止め具Ｂ’
１７　つま先部カバー止め具Ｃ’
１８　甲部カバー止め具Ｄ’
１９　甲部カバー止め具Ｅ’
２０　甲部カバー止め具Ｆ’
２１　甲部カバー止め具Ｇ’
２２　かかと部カバー止め具Ｈ’
２３　かかと部カバー止め具Ｉ’
２４　かかと部カバー止め具Ｊ’
【図１】
2004073792.tif 000003
【図２】
2004073792.tif 000004
【図３】
2004073792.tif 000005
【図４】
2004073792.tif 000006
【図５】
2004073792.tif 000007
【図６】
2004073792.tif 000008
【図７】
2004073792.tif 000009
【図８】
2004073792.tif 000010
【図９】
2004073792.tif 000011
(57)【要約】【課題】この発明は、ステンレス流し台の手前に、磁石付きの薄いプラスチック板をおき、食器等を洗う際水はねを遮断する。【解決手段】薄いプラスチック板▲１▼に、磁石▲２▼、▲３▼をつけて、ステンレス流し台▲４▼の手前▲５▼に吸い付ける。【選択図】　図１
2004073794.tif 000002
【特許請求の範囲】
【請求項１】
台所のステンレス流し台で、食器等を洗う際、水はねが生じるのでそれを防ぎ、取り外しが自由に出来るガードプレート。
【発明の詳細な説明】
【０００１】
【発明の属する技術分野】
この発明は、ステンレス流し台の手前に、薄いプラスチック板を置き、そのプラスチック板がステンレス流し台にあたる下底と、
横面二ヶ所に、磁石を取付け、自由に取り外し可能にする。
【０００２】
【従来の技術】
従来は、台所の流し台で食器等を洗う際おなかの一部分が、極端に濡れ、又床に水しぶきがとびはねていても、気にしていないのが現実のようです。
【０００３】
【発明が解決しようとする課題】
このことから、ステンレス流し台で食器等を洗っても、水はねを最小限にくいとめ、おなかの一部分や、台所の床に水しぶきが、
かからないようにする事が課題である。
【０００４】
【課題を解決するための手段】
本発明は、はねた水が、おなかや床にとびはねないように、水を遮断する為、流し台とおなかの間に薄いプラスチック板を置くことによって、最小限にくいとめられる。
上記課題を解決したものである。
【０００５】
【発明の実施の形態】
発明の実施の形態を図面に基づき説明する。
現在多くの家庭で、使用されているステンレス流し台▲４▼に薄いプラスチック板▲１▼を、▲５▼の所に置く。その時、▲２▼と▲３▼がステンレスに吸い付く。又、取り外したい時は、薄いプラスチック板▲１▼を引くことによって簡単にはずれる。
【０００６】
【発明の効果】
はねた水が薄いプラスチック板にあたり、おなかを濡らさず、床に水が、飛びはねない。
【０００７】
ステンレス流し台に、薄いプラスチック板があたる下底と、横面二ヶ所に磁石を、取付ける事によってステンレスに吸い付き安定し、置く、外すが、容易に出来る。
【図面の簡単な説明】
【図１】本発明の斜視図
【図２】本発明の使用斜視図
【符号の説明】
▲１▼は、薄いプラスチック板
▲２▼は、磁石
▲３▼は、磁石
▲４▼は、ステンレス流し台
▲５▼は、使用する部分
【図１】
2004073794.tif 000003
【図２】
2004073794.tif 000004
(57)【要約】　　　（修正有）【課題】原材料は古木あるいは廃材を用いてもよく、それに真珠粉末をシンナーで溶かし、液状にしたものを吹き付けることによって、そろばん玉真珠を提供する。【解決の手段】ガラス玉にかわり木材で作ったそろばん玉（丸玉）を使用した。このそろばん玉は乾燥した樫木がよく、玉も中ぐりしているので軽く仕上げることができた。夏季の汗ばむ素肌にも心地よく馴染み、冬場の使用も全く苦にならない。四季を問わず愛用できるこのそろばん玉真珠は女性の肌にやさしくフイットし、そのぬくもり感覚はガラス玉真珠と違った味を醸し出すことから、これをニューパールラインと呼称した。【選択図】　なし【特許請求の範囲】
【請求項１】
電卓の発明によっていま斜陽産業の一ツに算盤製造業が挙げられている。算盤を作るには数々の工程を経ねばならぬが中でもそろばん玉つくりは大切な作業である。
この発明はそのそろばん玉（丸玉）を素材とした模造真珠づくりの技法を開発し、業界の起死回生に貢献せんとした。
【発明の詳細な説明】
【０００１】
【発明の属する技術分野】
この発明は我が国古来から伝承された算盤製造技術に関与するもので、そろばんの丸玉を使用した。
そろばん玉の原材料は古木或は廃材の一部を用いてもよく、それに真珠粉末をシンナーで溶かし液状にしたものを吹付けることによって、そろばん玉真珠を形成する方法である。
【０００２】
【従来の技術】
世界いずれの国でも模造真珠はガラス玉が素材になっている。製造工程は大同小異でガラスの生地をガスバーナーで焼きながら回転するピアノ線へ球体になったガラス玉を巻きつけ原材料とし、これに真珠粉末の溶液を塗布して仕上げるのが従来の方法である。
【０００３】
【発明が解決しようとする課題】
現在使用されている模造真珠のすべてがガラス玉を素材としている。このガラス玉が含有する化学成分の影響で、素肌に直接着けることが多い模造真珠は、夏季に於て汗の肌に発疹を生じたり、冬場の使用では異状な冷感を訴える等多くの問題があった。
本発明はこれらの欠点をすべて解決せねばならない。
【０００４】
【課題を解決するための手段】
従来のガラス玉真珠の材質には化学物質が含まれているため、まれにアレルギー体質の肌を冒し発疹症状を訴えることがあった。
本発明によるそろばん玉真珠の材料はすべて木材以外何もない。このためガラス玉真珠で見るような憂いは全くない。
更にそろばん玉真珠は夏の汗も若干吸収し、冬場の使用にも不快感を招くことはない。
【０００５】
【発明の実施の形態】
以下本発明の実施の形態について説明する。
第一工程
そろばん玉真珠をつくるに当たり素材となる原木は限定しないが、木質の緻密なものほど仕上がりよく、梅の古木など高級品として珍重される。
第二工程
そろばん玉真珠をつくるため選択した木材を厚１５ミリ程度の平板にする。この平板からそろばん玉の原形素材を作るため１５ミリのくり抜き機を使って抜きとる。
第三工程
そろばん玉原形素材をけずり機に掛け完璧な球体としここでそろばん玉が仕上がる。付着したほこり、油分はこの工程が終わると中性洗剤を用い洗滌乾燥する。
第四工程
特に豪華な装飾品のときは、重量の軽減を図るため第三工程の半ばで、そろばん玉の中を削る作業を行うこともある。
第五工程
宝石真珠は天然真珠、養殖真珠、淡水真珠、南洋真珠等数々あるが、何れも光沢が美しくピンク色をしたものが高級品とされている。
本発明のそろばん玉真珠は養殖真珠で高級品とされるものに最も近似したものを作り出すため、研鑚を重ねてきた。
第六工程
真珠粉末をシンナーで溶かしたところへピンク系の色素を添加し、よく撹拌する。この溶液を回転するそろばん玉に吹付けるわけだが、乾燥を待ってこの作業を数回繰り返し、真珠層を重ねると同時にピンク色の上り具合をよく監修することが大切である。
最後にそろばん玉製法はこれまで解説してきた方法以外メーカーによって機種も多様であり最も使い勝手のよいものを選ぶことが肝要かと思う。
【０００６】
【実施例】
本発明によるそろばん玉真珠は養殖真珠等に比べ光沢・着装感とも何等遜色なく、従来のガラス玉真珠が夏・冬生ずる不快感など全くない。安心して使用できるそろばん玉真珠である。
【０００７】
【発明の効果】
本発明によって次の効果を得且更なる重要な期待を望むことができる。
イ．夏季汗ばむ素肌にやさしくフイットし、アレルギー体質の肌にも影響を与えない。
ロ．冬季ガラス玉真珠のような冷たい悪感を伴わない。
ハ．重量感が全くない。
ニ．真性真珠で稀少価値の高い９ミリから１０数ミリまでの太玉真珠も容易につくることができる。
ホ．価格が低廉で安定した供給ができる。
本発明により斜陽産業といわれる算盤製造業が抱える経営の建てなおしと解雇者の再雇用が可能になる。
かつて大正中期まで生糸が我が国輸出産業の王座を占めていたが人造繊維ナイロンの開発で廃積の途を辿ることになった。この事例と同じように本発明のそろばん玉真珠が、従来のガラス玉真珠にとってかわり、輸出を振興し国益に寄与することを誰が予測するだろうか。
(57)【要約】【課題】この発明は、玉ねぎを簡単、且つ安全に切るための玉ねぎ切断補助具を提供する。【解決手段】基台（６）に連接された受け台（４）の上面に複数の具材ずれ防止突起（９）を設け、前記受け台（４）を覆うフード部（１）に取っ手（１０）を設け、フード部（１）に包丁ガイド溝（２）を複数設けたことを特徴とする。【選択図】　図１
2004073799.tif 000002
【特許請求の範囲】
【請求項１】
基台（６）に連接された受け台（４）の上面に複数の具材ずれ防止突起（９）を設け、前記受け台（４）を覆うフード部（１）に包丁ガイド溝（２）を複数設けた玉ねぎ切断補助具。
【請求項２】
フード部（１）に取っ手（１０）を設けた、請求項１記載の玉ねぎ切断補助具。
【請求項３】
高さ調節機構によりフード部（１）が任意の高さに調節できることを特徴とする請求項１又は請求項２記載の玉ねぎ切断補助具。
【請求項４】
フード部（１）の回転を止めるための回転防止機構を設けたことを特徴とする請求項１、請求項２又は請求項３記載の玉ねぎ切断補助具。
【発明の詳細な説明】
【０００１】
【発明の属する技術分野】
この発明は、玉ねぎを簡単、且つ安全に切るための玉ねぎ切断補助具に関するものである。
【０００２】
【従来の技術】
従来、玉ねぎを切断する物に、下ろし金のような物があった。
【０００３】
【発明が解決しようとする課題】
これは次のような欠点があった。
（イ）　金属製の刃物の上に玉ねぎをのせ、素手で往復させながら玉ねぎを切るため、手がすべった時に手を切る恐れがあった。
（ロ）　切った玉ねぎが下に落ちるため、ちらばらないように受け皿を用意する必要があった。
（ハ）　玉ねぎを切るとき、汁が飛び目に入るため涙が出る。
本発明は、以上のような欠点をなくすためになされたものである。
【０００４】
【課題を解決するための手段】
基台（６）に連接された受け台（４）の上面に複数の具材ずれ防止突起（９）を設け、前記受け台（４）を覆うフード部（１）に取っ手（１０）を設け、前記フード部（１）に包丁ガイド溝（２）を複数設ける。
本発明は、以上のような構成よりなる玉ねぎ切断補助具である。
【０００５】
【発明の実施の形態】
以下、本発明の実施例について説明する。
（イ）　合成樹脂を主体とした半球形状のフード部（１）の上部に包丁ガイド溝（２）を等間隔に複数設ける。
（ロ）　フード部（１）の下部に円筒形状の高さ調整部（３）を連接させ、側面に受け台（４）の側面に連接する回転防止突起（５）を受けるための突起接合部溝（８）を前記円筒形状の高さ調整部（３）の円の中心から３０度間隔の位置に高さ調整部（３）の下端から上方に向けて複数設ける。
（ハ）　基台（６）に連接する円形状の受け台（４）の上面に円錐形状の具材ずれ防止突起（９）を等間隔に複数設け、受け台（４）の側面に回転防止突起（５）を前記突起接合部溝（８）にはまる位置に設ける。
（ニ）　基台（６）の底面にすべり止め（７）を設ける。
本発明は以上のような構造で、これを使用するときは、玉ねぎを半球形状に切り、平らになった切断面を下向きにして受け台（４）の上面に置き、その上からフード部（１）の取っ手（１０）を片手で持ち突起接合部溝（８）と回転防止突起（５）を合わせるように玉ねぎの上部とフード部（１）の内面上部が接触するまでフード部（１）を被せる。
尚、フード部（１）を被せるときは、玉ねぎが受け台（４）からずれないようにするため軽く下方向に力を入れながら被せるとよい。
そこでフード部（１）の包丁ガイド溝（２）の上部に包丁の刃先を合わせ、包丁ガイド溝（２）に沿って玉ねぎを切る。
又、切れた玉ねぎをそのままにして、フード部（１）だけを持ち上げて、フード部（１）の突起接合部溝（８）を前記で使用した回転防止突起（５）から約９０度ずれた位置にある回転防止突起（５）に合わせて使用する事により微塵切りなども簡単に切ることができる。
又、フード部（１）の包丁ガイド溝（２）の間隔をずらして使用することにより、いろんな厚みに切ることもできる。
このようにフード部（１）の向きを変えたり包丁ガイド溝（２）の間隔をずらして使用することにより多彩な切り方に応用できる。
以上、玉ねぎを切り終えたらフード部（１）を取らずに基台（６）ごと持ち上げてフード部（１）が下向きになるように半回転させ、中にある玉ねぎをフード部（１）に移し取り基台（６）をはずし、玉ねぎの入ったフード部（１）を鍋やフライパンなどの調理器具に玉ねぎを移し入れる。
【０００６】
【発明の効果】
玉ねぎを切るとき、包丁がフード部（１）の包丁ガイド溝（２）に沿って動くため、横方向のずれが規制されるため、誤って手を切ることもなく安全に玉ねぎを切ることができる。
さらにフード部（１）に取っ手（１０）を設けたことにより安全性を高めている。
又、基台（６）の底面にすべり止め（７）を設けたことにより基台（６）がすべらずに安定するため作業がしやすくなる。
又、フード部（１）を受け台（４）に被せるときにフード部（１）の突起接合部溝（８）と受け台（４）の回転防止突起（５）を合わせて被せることによりフード部（１）の回転を防止することができる。
又、受け台（４）の上面に複数の具材ずれ防止突起（９）を設けることにより、受け台（４）の上面から玉ねぎがずれ動くことがないため、フード部（１）の包丁ガイド溝（２）の間隔に合わせた切り方が楽にできる。
尚、玉ねぎを切るときはフード部（１）を玉ねぎに被せて使用するため切れた玉ねぎがフード部（１）の外側に飛び散ることがないため、回りを汚すこともなく玉ねぎを無駄なく使用することができる。
また、玉ねぎの大きさが一定していないため玉ねぎを固定することが困難だったが、フード部（１）に高さ調整部（３）を設けることにより、玉ねぎの大きさに合わせて固定することができる。
このように本発明を使用することにより子供やお年寄り、又、男性の方などだれが使用しても安全、且つ簡単に玉ねぎをきれいに切ることができる玉ねぎ切断補助具である。
【図面の簡単な説明】
【図１】本発明の分離斜視図である。
【図２】本発明のフード部の正面図である。
【図３】本発明の基台の正面図である。
【図４】本発明の基台の平面図である。
【図５】本発明のフード部の平面図である。
【符号の説明】
１　フード部
２　包丁ガイド溝
３　高さ調整部
４　受け台
５　回転防止突起
６　基台
７　すべり止め
８　突起接合部溝
９　具材ずれ防止突起
１０　取っ手
【図１】
2004073799.tif 000003
【図２】
2004073799.tif 000004
【図３】
2004073799.tif 000005
【図４】
2004073799.tif 000006
【図５】
2004073799.tif 000007
(57)【要約】【課題】バランス遊具製作時の作業時間を短縮し、見た目にもすっきりした形の仕掛け細工を提供する事を目的としている。【解決手段】上記目的を達成する為に、本発明の仕掛け細工においては、腹部に吊り糸１を貫通させたゴム管２に、横穴からバランス棒３を通した仕掛け細工。【選択図】　　図１
2004073760.tif 000002
【特許請求の範囲】
【請求項１】
腹部に吊り糸１を貫通させたゴム管２に、横穴からバランス棒３を通し、その両端に飾り４を取り付けた仕掛け細工。
【発明の詳細な説明】
【０００１】
【発明の属する技術分野】
本発明は吊り下げ式のバランス遊具に関する仕掛け細工である。
【０００２】
【従来の技術】
従来のバランス遊具では、バランス棒の両端に飾りを取り付け、そのバランス支点は実際に吊り下げ、確かめた上で吊り糸を結び付け固着させていた。これでは作業時間も要し、固着点が離脱した場合においても修復が困難である。
【０００３】
【発明が解決しようとする課題】
本発明は製作する作業時間も短縮でき、固着点の結び目を無くし、見た目にもすっきりした形に見せる事を、目的とするものである。
【０００４】
【課題を解決する為の手段】
本発明は、腹部に吊り糸１を貫通させたゴム管２に、横穴からバランス棒を通し、その両端に飾り４を取り付けた仕掛け細工である。
【０００５】
【発明の実施の形態】
以下図面に示す実施の形態について説明する。
【０００６】図１、図２のバランス遊具の仕掛け細工は、細竹ひご、天然ゴム、麻糸を使用し、軽量さと自然材で構成されている。
【０００７】このバランス遊具は、腹部に吊り糸１を貫通させたゴム管２の横穴からバランス棒３を通し、その両端に飾り４を取り付けた仕掛け細工を有するものである。
【０００８】このバランス遊具のバランスの取り方は、バランス棒３を横穴から通されたゴム管２を左右に動かし、バランス支点を決める。
【０００９】更にバランス棒３は、吊り糸１に沿って上下させる事も
できる。
【００１０】バランス棒３上のバランス支点には、吊り糸の結び目もなく、見た目にも美しい。
【００１１】図３は、本発明の仕掛け細工を実際に利用した、吊り下げひな飾りを示す正面図である。周知のように、最上段に内裏飾り、最下段に三人仕丁飾りを配し、吊り下げたものである。
【００１２】
【発明の効果】
この仕掛け細工の利点は、バランス棒３の正確なバランス支点を製作作業中に定める事は必要無く、ゴム管２を左右に動かす事で移動する為、使用者が装置した時点で微調整すれば良い。それだけ製作する作業時間も短縮できる。結び目の無い形も美しい。
【図面の簡単な説明】
【図１】本発明の実施の形態を示す斜視図である。
【図２】本発明の仕掛け細工の横断面図である。
【図３】本発明の使用例を示す正面図である。
【符号の説明】
１　　吊り糸
２　　ゴム管
３　　バランス棒
４　　飾り
【図１】
2004073760.tif 000003
【図２】
2004073760.tif 000004
【図３】
2004073760.tif 000005
(57)【要約】【課題】浴槽及び浴室の毛髪類や浴槽のアカを簡便に取り除く毛髪類クリーナーを提供する。【解決手段】吸引装置（１）にホース部（２）・パイプ部（３）で浴槽（４）及び浴室（５）の吸引ヘッド（６）を連接したことを特徴とする。【選択図】　　図１
2004073773.tif 000002
【特許請求の範囲】
【請求項１】
吸引装置（１）にホース部（２）・パイプ部（３）で浴槽（４）及び浴室（５）の吸引ヘッド（６）を連接した毛髪類クリーナー。
【発明の詳細な説明】
【０００１】
【発明の属する技術分野】
この発明は、浴槽及び浴室の毛髪類や浴槽のアカを吸引して取り除く毛髪類クリーナーに関するものである。
【０００２】
【従来の技術】
従来より浴槽・浴室の毛髪類や浴槽のアカを取り除く器具は無く、浴槽の毛髪類・アカは手や洗面器ですくったり、浴室の排水口の毛髪類は直接、又はフィルターを手で除去する程度である。
【０００３】
【発明が解決しようとする課題】
これは次のような欠点があった。
イ　浴槽は、いかに浴槽外で身体を洗い、お湯やシャワーで流しても毛髪類・アカが浮遊し、家族間でも非衛生的な感じがする。まして親しい他人には気を使い、手や洗面器で清掃する必要があり、大変煩わしかった。
ロ　浴室の毛髪類は排水口に溜まるが、これを手での除去は感じのよいものではなく、また煩わしかった。
本発明は、以上の欠点を解決するためになされたものである。
【０００４】
【課題を解決するための手段】
吸引装置（１）にホース部（２）・パイプ部（３）で浴槽（４）及び浴室（５）の吸引ヘッド（６）を連接する。
本発明は、以上の構成よりなる毛髪類クリーナーである。
【０００５】
【発明の実施の形態】
以下、本発明の実施の形態を説明する。
イ　吸引装置（１）を洗面台キャビネット（７）等に設置する。
ロ　吸引装置（１）にホース部（２）・パイプ部（３）で浴槽（４）及び浴室（５）の吸引ヘッド（６）を連接する。
ハ　吸引ヘッド（６）は、作動スイッチ（１０）とノズル（１１）を装着し、ノズル（１１）は、使用場所に適した交換用ノズルを準備し、用途に応じ使用する。
ニ　ホース部（２）は、フィルター部（９）を装着し、交換式とする。
ホ　ホース部（２）を自動巻取機（１２）と連接し、伸縮自在にすることも出来る。この場合には受け皿を準備し排水する。
ヘ　吸引装置（１）は、状況により屋外に設置する。
本発明は、以上の構成よりなっている。
本発明を使用する時は、次の要領で実施する。
イ　浴槽の毛髪類・アカを取り除く時は、平板型ノズル等を使用、循環型浴槽で底に沈んだ毛髪類を取り除く時は平板型の長いノズル等を使用する。
ロ　浴室の排水口に溜まった毛髪類・アカを取り除く時は、丸型ノズル等を使用する。
ハ　吸引された毛髪類・アカは、フィルターに溜まるので、これを交換する。
【０００６】
【発明の効果】
本発明を使用することによって
イ　浴槽・浴室の毛髪類を簡便に取り除くことが出来る。
ロ　浴槽で浮遊しているアカを簡便に取り除くことが出来る。
ハ　これまでの毛髪類・アカを取り除く煩わしさを解消するとともに、衛生的で、なおかつ快適性を確保できる。
ニ　洗面台・洗面所や理髪店等でも同様に使用出来、毛髪類を取り除く煩わしさを解消するとともに、衛生的で、なおかつ快適性を確保できる。
【図面の簡単な説明】
【図１】本発明の斜視図
【図２】本発明の分解斜視図
【符号の説明】
１　吸引装置
２　ホース部
３　パイプ部
４　浴槽
５　浴室
６　吸引ヘッド
７　洗面台キャビネット
８　モーター部
９　フィルター
１０　作動スイッチ
１１　ノズル
１２　自動巻取機
【図１】
2004073773.tif 000003
【図２】
2004073773.tif 000004
(57)【要約】【課題】金属線からなる簡易ハンガー或いは買物用のポリ袋等を懸吊し得るようにした懸吊具の提供。【解決手段】クランク形状の把持杆１と、該把持杆１の両端に穿設した螺子孔２，３に、支持杆４の両端に設けた螺子部５，６を着脱可能に螺合すると共に、前記支持杆４の表面長手方向に複数個の係止孔７を略々等間隔に貫設し、さらに前記支持杆４の一端面に一条の溝８を穿設し、且つ前記支持杆４の先端部に穿設した支孔９に前記把持杆１の両方の螺子孔３部分に貫設したピン孔１０を介して前記支孔９にピン１１を係着せしめるようにした。【選択図】　　図１
2004073774.tif 000002
【特許請求の範囲】
【請求項１】
クランク形状の把持杆１と、該把持杆１の両端に穿設した螺子孔２，３に、支持杆４の両端に設けた螺子部５，６を着脱可能に螺合すると共に、前記支持杆４の表面長手方向に複数個の係止孔７を略々等間隔に貫設し、さらに前記支持杆４の一端面に一条の溝８を穿設し、且つ前記支持杆４の先端部に穿設した支孔９に前記把持杆１の両方の螺子孔３部分に貫設したピン孔１０を介して前記支孔９にピン１１を係着せしめるようになる懸吊具。
【発明の詳細な説明】
【０００１】
【発明の属する技術分野】
本発明は、ハンガー或いは買物袋等を吊り下げるのに便利な懸吊具に関するものである。
【０００２】
【従来の技術】
従来、クリーニング屋がサービスで提供する金属線からなる簡易ハンガー、或いはスーパーマーケット等で供与されるポリ袋を懸吊するための特別の器具は市場に全く提供されていない。
【０００３】
【発明が解決しようとする課題】
本発明は、前記金属線等の簡易ハンガーを安定的に整列懸吊し得るようにして室内の整理を容易に行えるようになる懸吊具の提供を目的としたものである。
【０００４】
【課題を解決するための手段】
本発明は、前記の目的を達成する手段として、クランク形状の把持杆１と、該把持杆１の両端に穿設した螺子孔２，３に、支持杆４の両端に設けた螺子部５，６を着脱可能に螺合すると共に、前記支持杆４の表面長手方向に複数個の係止孔７を略々等間隔に貫設し、さらに前記支持杆４の一端面に一条の溝８を穿設し、且つ前記支持杆４の先端部に穿設した支孔９に前記把持杆１の両方の螺子孔３部分に貫設したピン孔１０を介して前記支孔９にピン１１を係着せしようにした。
【０００５】
【発明の実施の形態】
本発明の具体的な構成を図にもとづいて説明すると、プラスチック等で成形されるクランク形状の把持杆１は把持部に適当な滑り止等を施してあり、両端部には螺子孔２，３が穿設されている。
【０００６】
前記螺子孔２，３にその端部を螺合する支持杆４は、両端に螺子部５，６が形成されており、この螺子部５，６を前記螺子２，３に螺合することにより支持杆４を前記把持杆１に取付け、この支持杆４の表面長手方向には複数個の係止孔７を略々等間隔で貫設してあり、この係止孔７にハンガーのフック部を差込むようにして懸吊することになり、又、支持杆４の一端には支孔９が穿ってあり、前記把持杆１の一端に穿設したピン孔１０を介してピン１１を前記支孔９に係着して支持杆４の安定的な装着状態を確保し、又、支持杆４の一端には一条の溝８があり、この溝８にコイン等を差込んで支持杆４を回転し、螺子孔２，３に螺子部５，６を螺入するようになる。
【０００７】
つぎに支持杆４に買物用のポリ袋等を懸吊するときは、支持杆４を回転し、該支持杆４の端を螺子孔３から外してポリ袋を吊すようになる。
【０００８】
【発明の効果】
本発明によれば、ハンガー或いは買物袋を簡便に整列懸吊することが可能であって、一つの懸吊具に多数のハンガー、袋等を吊すことができ、室内の整理或いは持ち歩き等に非常に便利であり、且つコスト的にも廉価な製造が可能であって、実に便利な懸吊具を提供し得る利点を有するものである。
【図面の簡単な説明】
【図１】本発明に係る懸吊具の正面図
【図２】同Ａ−Ａ線断面図
【図３】同分解斜視図
【図４】使用状況の一例を示す斜視図
【符号の説明】
１　把持杆
２，３　螺子孔
４　支持杆
５，６　螺子部
７　係止孔
８　溝
９　支孔
１０　ピン孔
１１　ピン
【図１】
2004073774.tif 000003
【図２】
2004073774.tif 000004
【図３】
2004073774.tif 000005
【図４】
2004073774.tif 000006